Podtech/llm-jp-corpus-v4-ja_patent huggingface dataset:
【手続補正書】
【提出日】令和3年8月20日(2021.8.20)
【手続補正１】
【補正対象書類名】特許請求の範囲
【補正対象項目名】全文
【補正方法】変更
【補正の内容】
【特許請求の範囲】
【請求項１】
ユーザ機器(UE)によって実行されるワイヤレス通信の方法であって、
第1のダウンリンク割当てインデックス(DAI)に少なくとも部分的に基づいて、第1のコンポーネントキャリア(CC)セットのための第1のハイブリッド自動再送要求肯定応答(HARQ-ACK)ペイロードを決定するステップと、
第2のDAIに少なくとも部分的に基づいて、第2のCCセットのための第2のHARQ-ACKペイロードを決定するステップと、
前記第1のCCセットのための前記第1のHARQ-ACKペイロードおよび前記第2のCCセットのための前記第2のHARQ-ACKペイロードを送信するステップとを含み、
少なくとも1つのCCが、前記少なくとも1つのCCのための半静的コードブロックグループ構成に少なくとも部分的に基づいて、前記第1のCCセットまたは前記第2のCCセットに割り当てられ、
前記第1のCCセットのための前記第1のHARQ-ACKペイロードが、第1のHARQ-ACKペイロードグループにおいて連結され、前記第2のCCセットのための前記第2のHARQ-ACKペイロードが、第2のHARQ-ACKペイロードグループにおいて連結される、
方法。
【請求項２】
前記第1のCCセットに含まれる1つまたは複数の第1のCCが、第1のコードブロックグループ(CBG)構成に関連付けられ、前記第2のCCセットに含まれる1つまたは複数の第2のCCが、前記第1のCBG構成とは異なる第2のCBG構成に関連付けられる、
請求項1に記載の方法。
【請求項３】
前記第1のCBG構成が、CBGが有効化される構成であり、前記第2のCBG構成が、CBGが無効化される構成である、
請求項2に記載の方法。
【請求項４】
少なくとも1つのCCが、デフォルトまたは半静的コードブロックグループ構成をオーバーライドするフォールバックダウンリンク制御情報において示される、前記少なくとも1つのCCのための動的コードブロックグループ構成に少なくとも部分的に基づいて、前記第1のCCセットまたは前記第2のCCセットに割り当てられる、
請求項1に記載の方法。
【請求項５】
特定の送信時間間隔の間に、1つまたは複数の第1のCCが前記第1のCCセットに割り当てられ、1つまたは複数の第2のCCが前記第2のCCセットに割り当てられる、または
コードブロックグループが前記UEの少なくとも1つのCCに対して有効化されるとの決定に少なくとも部分的に基づいて、1つまたは複数の第1のCCが前記第1のCCセットに割り当てられ、1つまたは複数の第2のCCが前記第2のCCセットに割り当てられる、
請求項1に記載の方法。
【請求項６】
前記第1のDAIが第1の累積DAIであり、前記第2のDAIが第2の累積DAIである、または
前記第1のDAIが第1の総DAIであり、前記第2のDAIが第2の総DAIである、
請求項1に記載の方法。
【請求項７】
前記第1のHARQ-ACKペイロードグループおよび前記第2のHARQ-ACKペイロードグループが、送信のために互いと連結される、
請求項1に記載の方法。
【請求項８】
前記第1のHARQ-ACKペイロードグループまたは前記第2のHARQ-ACKペイロードグループのうちの少なくとも1つが、互いとの連結の前にDAIパディングでパディングされる、
請求項7に記載の方法。
【請求項９】
ワイヤレス通信のための装置であって、
第1のダウンリンク割当てインデックス(DAI)に少なくとも部分的に基づいて、第1のコンポーネントキャリア(CC)セットのための第1のハイブリッド自動再送要求肯定応答(HARQ-ACK)ペイロードを決定する手段と、
第2のDAIに少なくとも部分的に基づいて、第2のCCセットのための第2のHARQ-ACKペイロードを決定する手段と、
前記第1のCCセットのための前記第1のHARQ-ACKペイロードおよび前記第2のCCセットのための前記第2のHARQ-ACKペイロードを送信する手段とを備え、
少なくとも1つのCCが、前記少なくとも1つのCCのための半静的コードブロックグループ構成に少なくとも部分的に基づいて、前記第1のCCセットまたは前記第2のCCセットに割り当てられ、
前記第1のCCセットのための前記第1のHARQ-ACKペイロードが、第1のHARQ-ACKペイロードグループにおいて連結され、前記第2のCCセットのための前記第2のHARQ-ACKペイロードが、第2のHARQ-ACKペイロードグループにおいて連結される、
装置。
【請求項１０】
少なくとも1つのCCが、
前記半静的コードブロックグループ構成をオーバーライドするフォールバックダウンリンク制御情報において示される、前記少なくとも1つのCCのための動的コードブロックグループ構成に少なくとも部分的に基づいて、前記第1のCCセットまたは前記第2のCCセットに割り当てられる、
請求項9に記載の装置。
【請求項１１】
特定の送信時間間隔の間に、1つまたは複数の第1のCCが前記第1のCCセットに割り当てられ、1つまたは複数の第2のCCが前記第2のCCセットに割り当てられる、
請求項9に記載の装置。
【請求項１２】
コードブロックグループが前記装置の少なくとも1つのCCに対して有効化されるとの決定に少なくとも部分的に基づいて、1つまたは複数の第1のCCが前記第1のCCセットに割り当てられ、1つまたは複数の第2のCCが前記第2のCCセットに割り当てられる、
請求項9に記載の装置。
【請求項１３】
前記第1のDAIが、第1の累積DAIまたは第1の総DAIのうちの少なくとも1つを含み、前記第2のDAIが、第2の累積DAIまたは第2の総DAIのうちの少なくとも1つを含む、
請求項9に記載の装置。
【請求項１４】
前記第1のHARQ-ACKペイロードグループおよび前記第2のHARQ-ACKペイロードグループが、送信のために互いと連結される、
請求項9に記載の装置。
【請求項１５】
命令を備えたコンピュータプログラムであって、前記コンピュータプログラムがコンピュータによって実行されると、前記命令が前記コンピュータに請求項１〜８のいずれか一項に記載の方法を実行させる、コンピュータプログラム。
【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
表示用の画像をレンダリングするように構成されたレンダリングユニットを含むゲームエンジンと、
第１色空間でレンダリングされたレンダリング画像を符号化するように構成されたビデオエンコーダと、を備え、
前記レンダリングユニットは、
前記第１色空間で各画像をレンダリングすることと、
前記第１色空間でレンダリングされた画像の各々に関連する属性であって、各画像とは異なる属性を生成することと、
前記第１色空間でレンダリングされた画像の各々を前記ビデオエンコーダに伝達することと、
画像の各々に関連する属性を前記ビデオエンコーダに伝達することと、
を行うように構成されており、
前記ビデオエンコーダは、前記レンダリングユニットによって提供された複数の属性に基づいて、各レンダリング画像を符号化するように構成されている、
システム。
【請求項２】
前記システムは、前記複数の属性を、第１フォーマットから、前記ビデオエンコーダと互換性のある第２フォーマットに変換するように構成された変換ユニットをさらに備える、
請求項１のシステム。
【請求項３】
前記レンダリングユニットは、所定のモードで動作することに応じて、
前記第１色空間と、前記第１色空間とは異なる第２色空間と、の両方で所定の画像を生成することと、
前記第１色空間でレンダリングされた画像を、対応する生成された属性とともに前記ビデオエンコーダに伝達することと、
前記第２色空間でレンダリングされた前記所定の画像をディスプレイデバイスに伝達することと、
を行うように構成されている、
請求項１のシステム。
【請求項４】
前記第１色空間でレンダリングされた画像の各々は、それぞれ対応する画像に関連付けられた生成された属性とは別に記憶される、
請求項１のシステム。
【請求項５】
前記複数の属性は、カメラビュー速度バッファ、オブジェクト毎のモーション情報、テクスチャデータヒント、関心領域、深度情報、時間統計情報、レンダリングフレームレート、シーン変更データ、追加のビットを必要とする領域、スキップ又は静的フレームデータ、及び、後処理データを含む、
請求項１のシステム。
【請求項６】
前記ゲームエンジンは、現在レンダリングされているフレームの属性を収集し、以前にレンダリングされた画像に対する時間的変化を提供するように構成されている、
請求項１のシステム。
【請求項７】
前記ゲームエンジンは、現在レンダリングされている画像と、以前にレンダリングされた１つ以上の画像との比較に基づいて、前記複数の属性のうち１つ以上の属性を生成するように構成されており、
前記１つ以上の属性は、シーン変更データ、関心領域、又は、モーションベクトルデータを含む、
請求項６のシステム。
【請求項８】
ゲームエンジンのレンダリングユニットによって、各画像を第１色空間でレンダリングすることと、
前記第１色空間でレンダリングされた画像の各々に関連する属性であって、各画像とは異なる属性を生成することと、
前記画像に関連する属性をエンコーダに伝達することと、
前記エンコーダによって、前記複数の属性に基づいて、レンダリング画像の各々を符号化することと、を含む、
方法。
【請求項９】
変換ユニットによって、前記複数の属性を、第１フォーマットから、前記エンコーダと互換性のある第２フォーマットに変換することを含む、
請求項８の方法。
【請求項１０】
前記方法は、所定のモードで動作することに応じて、
前記第１色空間と、前記第１色空間と異なる第２色空間と、の両方で所定の画像を生成することと、
前記第１色空間でレンダリングされた画像を、対応する生成された属性とともに前記エンコーダに伝達することと、
前記第２色空間でレンダリングされた前記所定の画像をディスプレイデバイスに伝達することと、を含む、
請求項８の方法。
【請求項１１】
前記第１色空間でレンダリングされた画像の各々を、それぞれ対応する画像に関連付けられた生成された属性とは別に記憶することを含む、
請求項８の方法。
【請求項１２】
前記複数の属性は、カメラビュー速度バッファ、オブジェクト毎のモーション情報、テクスチャデータヒント、関心領域、深度情報、時間統計情報、レンダリングフレームレート、シーン変更データ、追加のビットを必要とする領域、スキップ又は静的フレームデータ、及び、後処理データを含む、
請求項８の方法。
【請求項１３】
前記ゲームエンジンによって、現在レンダリングされているフレームの属性を収集することと、
以前にレンダリングされた画像に対する時間的変化を提供することと、を含む、
請求項８の方法。
【請求項１４】
前記ゲームエンジンによって、現在レンダリングされている画像と、以前にレンダリングされた１つ以上の画像との比較に基づいて、前記複数の属性のうち１つ以上の属性を生成することを含み、
前記１つ以上の属性は、シーン変更データ、関心領域、又は、モーションベクトルデータを含む、
請求項１３の方法。
【請求項１５】
表示用の画像をレンダリングするように構成されたレンダリングユニットを含むゲームエンジンと、
レンダリングされた画像を符号化するように構成されたエンコーダと、
前記ゲームエンジンと前記エンコーダとに接続された変換ユニットと、を備え、
前記レンダリングユニットは、
各画像を、前記エンコーダと互換性のある第１色空間でレンダリングすることと、
前記第１の色空間でレンダリングされた画像の各々に関連する属性であって、各画像とは異なる属性を生成することと、
前記第１色空間でレンダリングされた画像の各々を前記エンコーダに伝達することと、
画像の各々に関連する属性を前記エンコーダに伝達することと、
を行うように構成されており、
前記エンコーダは、前記複数の属性に基づいて、レンダリング画像の各々を符号化するように構成されている、
装置。
【請求項１６】
前記変換ユニットは、前記複数の属性を、第１フォーマットから、前記エンコーダと互換性のある第２フォーマットに変換するように構成されている、
請求項１５の装置。
【請求項１７】
前記レンダリングユニットは、所定のモードで動作することに応じて、
前記第１色空間と、前記第１色空間とは異なる第２色空間と、の両方で所定の画像を生成することと、
前記第１色空間でレンダリングされた画像を、対応する生成された属性とともに前記エンコーダに伝達することと、
前記第２色空間でレンダリングされた前記所定の画像をディスプレイデバイスに伝達することと、
を行うように構成されている、
請求項１５の装置。
【請求項１８】
前記第１色空間でレンダリングされた画像の各々は、それぞれ対応する画像に関連付けられた生成された属性とは別に記憶される、
請求項１５の装置。
【請求項１９】
前記複数の属性は、カメラビュー速度バッファ、オブジェクト毎のモーション情報、テクスチャデータヒント、関心領域、深度情報、時間統計情報、レンダリングフレームレート、シーン変更データ、追加のビットを必要とする領域、スキップ又は静的フレームデータ、及び、後処理データを含む、
請求項１５の装置。
【請求項２０】
前記ゲームエンジンは、現在レンダリングされているフレームの属性を収集し、以前にレンダリングされた画像に対する時間的変化を提供するように構成されている、
請求項１５の装置。
【手続補正書】
【提出日】令和3年2月1日(2021.2.1)
【手続補正１】
【補正対象書類名】特許請求の範囲
【補正対象項目名】全文
【補正方法】変更
【補正の内容】
【特許請求の範囲】
【請求項１】
下り制御情報（ＤＣＩ）を受信する受信部と、
前記ＤＣＩに含まれる情報に基づいて、離散フーリエ変換−拡散−直交周波数分割多重（ＤＦＴ−ｓ−ＯＦＤＭ）又はサイクリックプレフィックス（ＣＰ）−ＯＦＤＭを用いる、物理上り共有チャネル（ＰＵＳＣＨ）用の復調用参照信号（ＤＭ−ＲＳ）の送信電力を決定する制御部と、
前記決定された送信電力で前記ＤＭ−ＲＳを送信する送信部と、を具備し、
前記制御部は、前記ＤＦＴ−ｓ−ＯＦＤＭを用いる場合の前記送信電力と、前記ＣＰ−ＯＦＤＭを用いる場合の前記送信電力とが異なるように、前記送信電力の決定を制御する、ユーザ装置（ＵＥ）。
【請求項２】
前記制御部は、上位レイヤシグナリングにより通知される情報に基づいて、前記ＤＭ−ＲＳの構成タイプが構成タイプ１であるか構成タイプ２であるかを決定する、請求項１に記載のユーザ装置。
【請求項３】
前記制御部は、前記ＤＭ−ＲＳの構成タイプが構成タイプ１であり、かつ前記ＤＦＴ−ｓ−ＯＦＤＭを用いる場合には、前記送信電力を、前記ＣＰ−ＯＦＤＭを用いるＤＭ−ＲＳの送信電力の２倍とする制御を行う、請求項２に記載のユーザ装置。
【請求項４】
前記ＤＣＩには、周波数多重に関する情報が含まれる、請求項１から３のいずれか１項に記載のユーザ装置。
【請求項５】
下り制御情報（ＤＣＩ）を受信する工程と、
前記ＤＣＩに含まれる情報に基づいて、離散フーリエ変換−拡散−直交周波数分割多重（ＤＦＴ−ｓ−ＯＦＤＭ）又はサイクリックプレフィックス（ＣＰ）−ＯＦＤＭを用いる、物理上り共有チャネル（ＰＵＳＣＨ）用の復調用参照信号（ＤＭ−ＲＳ）の送信電力を決定する工程と、
前記決定された送信電力で前記ＤＭ−ＲＳを送信する工程と、を有し、
前記決定する工程において、前記ＤＦＴ−ｓ−ＯＦＤＭを用いる場合の前記送信電力と、前記ＣＰ−ＯＦＤＭを用いる場合の前記送信電力とが異なるように、前記送信電力の決定を制御する、ユーザ装置の無線通信方法。
【請求項６】
下り制御情報（ＤＣＩ）をユーザ装置に送信する送信部と、
前記ＤＣＩに含まれる情報に基づいて決定された、物理上り共有チャネル（ＰＵＳＣＨ）用の復調用参照信号（ＤＭ−ＲＳ）の送信電力で、離散フーリエ変換−拡散−直交周波数分割多重（ＤＦＴ−ｓ−ＯＦＤＭ）又はサイクリックプレフィックス（ＣＰ）−ＯＦＤＭを用いて送信される前記ＤＭ−ＲＳを受信する、ここで、前記送信電力の決定は、前記ＤＦＴ−ｓ−ＯＦＤＭを用いる場合の前記送信電力と、前記ＣＰ−ＯＦＤＭを用いる場合の前記送信電力とが異なるように制御される、受信部と、を具備する、基地局。
【請求項７】
基地局とユーザ装置（ＵＥ）からなるシステムであって、
前記基地局は、
下り制御情報（ＤＣＩ）をユーザ装置に送信する基地局送信部と、
物理上り共有チャネル（ＰＵＳＣＨ）用の復調用参照信号（ＤＭ−ＲＳ）を受信する基地局受信部と、を具備し、
前記ＵＥは、
前記ＤＣＩを受信するＵＥ受信部と、
前記ＤＣＩに含まれる情報に基づいて、離散フーリエ変換−拡散−直交周波数分割多重（ＤＦＴ−ｓ−ＯＦＤＭ）又はサイクリックプレフィックス（ＣＰ）−ＯＦＤＭを用いる、前記ＤＭ−ＲＳの送信電力を決定するＵＥ制御部と、
前記決定された送信電力で前記ＤＭ−ＲＳを送信するＵＥ送信部と、を具備し、
前記ＵＥ制御部は、前記ＤＦＴ−ｓ−ＯＦＤＭを用いる場合の前記送信電力と、前記ＣＰ−ＯＦＤＭを用いる場合の前記送信電力とが異なるように、前記送信電力の決定を制御する、システム。
【手続補正２】
【補正対象書類名】明細書
【補正対象項目名】発明の名称
【補正方法】変更
【補正の内容】
【発明の名称】ユーザ装置、無線通信方法、基地局及びシステム
【手続補正３】
【補正対象書類名】明細書
【補正対象項目名】０００８
【補正方法】変更
【補正の内容】
【０００８】
本発明の１つ以上の実施形態は、下り制御情報（ＤＣＩ）を受信する受信部と、前記ＤＣＩに含まれる情報に基づいて、離散フーリエ変換−拡散−直交周波数分割多重（ＤＦＴ−ｓ−ＯＦＤＭ）又はサイクリックプレフィックス（ＣＰ）−ＯＦＤＭを用いる、物理上り共有チャネル（ＰＵＳＣＨ）用の復調用参照信号（ＤＭ−ＲＳ）の送信電力を決定する制御部と、前記決定された送信電力で前記ＤＭ−ＲＳを送信する送信部と、を具備し、前記制御部は、前記ＤＦＴ−ｓ−ＯＦＤＭを用いる場合の前記送信電力と、前記ＣＰ−ＯＦＤＭを用いる場合の前記送信電力とが異なるように、前記送信電力の決定を制御する、ユーザ装置（ＵＥ）に関する。
【手続補正４】
【補正対象書類名】明細書
【補正対象項目名】０００９
【補正方法】削除
【補正の内容】
【手続補正書】
【提出日】令和3年9月10日(2021.9.10)
【手続補正１】
【補正対象書類名】特許請求の範囲
【補正対象項目名】全文
【補正方法】変更
【補正の内容】
【特許請求の範囲】
【請求項１】
ワイヤレス通信デバイスによって実行されるワイヤレス通信の方法であって、
ポーラコーディング技法を使用して符号化される通信の第1の送信を実行するステップと、
前記通信の少なくとも1つの再送信を実行するステップであって、
より多くのリソースが、前記第1の送信に対してよりも、前記少なくとも1つの再送信に対して割り振られ、
前記少なくとも1つの再送信が、前記通信の増分冗長バージョンおよびチェイス合成のための前記通信のバージョンを含む、ステップとを含む、
方法。
【請求項２】
前記通信の前記増分冗長バージョンが、前記少なくとも1つの再送信の第1の再送信において送信され、チェイス合成のための前記通信の前記バージョンが、前記少なくとも1つの再送信の第2の再送信において送信される、
請求項1に記載の方法。
【請求項３】
チェイス合成のための前記通信のそれぞれのバージョンが、前記少なくとも1つの再送信の複数の第2の再送信において送信される、
請求項２に記載の方法。
【請求項４】
ワイヤレス通信デバイスであって、
メモリと、
前記メモリに動作可能に結合された1つまたは複数のプロセッサとを備え、前記メモリおよび前記1つまたは複数のプロセッサが、
ポーラコーディング技法を使用して符号化される通信の第1の送信を実行することと、
前記通信の少なくとも1つの再送信を実行することであって、より多くのリソースが、前記第1の送信に対してよりも、前記少なくとも1つの再送信に対して割り振られ、前記少なくとも1つの再送信が、前記通信の増分冗長バージョンおよびチェイス合成のための前記通信のバージョンを含む、ことと
を行うように構成される、
ワイヤレス通信デバイス。
【請求項５】
前記少なくとも1つの再送信が、前記第1の送信なしで復号可能である、
請求項４に記載のワイヤレス通信デバイス。
【請求項６】
前記通信の前記第1の送信の値が、前記通信の前記増分冗長バージョンの値とは異なる、
請求項４に記載のワイヤレス通信デバイス。
【請求項７】
チェイス合成のための前記通信の前記バージョンが、前記通信の前記第1の送信の反復である、
請求項４に記載のワイヤレス通信デバイス。
【請求項８】
チェイス合成のための前記通信の前記バージョンが、前記通信の前記第1の送信のサブセットである、
請求項４に記載のワイヤレス通信デバイス。
【請求項９】
チェイス合成のための前記通信の前記バージョンが、前記通信の前記増分冗長バージョンの反復またはサブセットである、
請求項４に記載のワイヤレス通信デバイス。
【請求項１０】
前記少なくとも1つの再送信が、チェイス合成のための前記通信の複数のバージョンを含む、
請求項４に記載のワイヤレス通信デバイス。
【請求項１１】
前記通信の前記増分冗長バージョンが、前記少なくとも1つの再送信の第1の再送信において送信され、チェイス合成のための前記通信の前記バージョンが、前記少なくとも1つの再送信の第2の再送信において送信される、
請求項４に記載のワイヤレス通信デバイス。
【請求項１２】
チェイス合成のための前記通信のそれぞれのバージョンが、前記少なくとも1つの再送信の複数の第2の再送信において送信される、
請求項１１に記載のワイヤレス通信デバイス。
【請求項１３】
前記通信の前記第1の送信および前記通信の前記少なくとも1つの再送信が、ハイブリッド自動再送要求(HARQ)動作のためのものである、
請求項４に記載のワイヤレス通信デバイス。
【請求項１４】
前記通信が、超高信頼低レイテンシ通信であり、前記第1の送信および前記少なくとも1つの再送信が、前記超高信頼低レイテンシ通信に関連付けられたレイテンシしきい値を達成するためのものである、
請求項４に記載のワイヤレス通信デバイス。
【請求項１５】
ワイヤレス通信のための命令を記憶するコンピュータ可読記録媒体であって、前記命令が、
ワイヤレス通信デバイスの1つまたは複数のプロセッサによって実行されると、前記1つまたは複数のプロセッサに、
ポーラコーディング技法を使用して符号化される通信の第1の送信を実行することと、
前記通信の少なくとも1つの再送信を実行することであって、より多くのリソースが、前記第1の送信に対してよりも、前記少なくとも1つの再送信に対して割り振られ、前記少なくとも1つの再送信が、前記通信の増分冗長バージョンおよびチェイス合成のための前記通信のバージョンを含む、ことと
を行わせる1つまたは複数の命令を含む、
コンピュータ可読記録媒体。
【手続補正書】
【提出日】令和3年11月1日(2021.11.1)
【手続補正１】
【補正対象書類名】特許請求の範囲
【補正対象項目名】全文
【補正方法】変更
【補正の内容】
【特許請求の範囲】
【請求項１】
ビデオを処理するための方法であって、
複数のピクセルを含むカレントビデオブロックから、前記カレントビデオブロックを分類するためのピクセルのサブセットを選択するステップであって、前記ピクセルのサブセットは、対角方向に前記カレントビデオブロック内のピクセルを１行おきにスキップすることによって選択される、ステップと、
前記対角方向に前記カレントビデオブロック内のピクセルを１行おきにスキップすることによって選択された前記ピクセルのサブセットを使用して、前記カレントビデオブロックについての垂直勾配、水平勾配、および２つの対角勾配を取得するステップと、
前記垂直勾配、前記水平勾配、および前記２つの対角勾配に基づいて、適応ループフィルタ処理（ＡＬＦ）のための前記カレントビデオブロックを分類するステップと、
前記カレントビデオブロックの前記分類に基づいて、前記カレントビデオブロックに対してＡＬＦを実行するステップと、
を備えたことを特徴とする方法。
【請求項２】
ビデオ処理デバイスであって、
複数のピクセルを含むカレントビデオブロックから、前記カレントビデオブロックを分類するためのピクセルのサブセットを選択し、前記ピクセルのサブセットは、対角方向に前記カレントビデオブロック内のピクセルを１行おきにスキップすることによって選択され、
前記対角方向に前記カレントビデオブロック内のピクセルを１行おきにスキップすることによって選択された前記ピクセルのサブセットを使用して、前記カレントビデオブロックについての垂直勾配、水平勾配、および２つの対角勾配を取得し、
前記垂直勾配、前記水平勾配、および前記２つの対角勾配に基づいて、適応ループフィルタ処理（ＡＬＦ）のための前記カレントビデオブロックを分類し、
前記カレントビデオブロックの前記分類に基づいて前記カレントビデオブロックに対してＡＬＦを実行する、
ように構成されたプロセッサを備えたことを特徴とするビデオ処理デバイス。
【請求項３】
ピクセルの前記サブセットは、前記カレントビデオブロック内の前記複数のピクセルにおいて垂直方向に少なくとも１つのピクセルをスキップし、水平方向に少なくとも１つのピクセルをスキップすることによって、前記カレントビデオブロック内の前記複数のピクセルから選択される、ことを特徴とする請求項１に記載の方法。
【請求項４】
前記垂直勾配、前記水平勾配、および前記２つの対角勾配を取得するために前記ピクセルのサブセットが選択されることになるという第１のインジケーション、または前記ピクセルのサブセットがどのように選択されることになるかという第２のインジケーションのうちの少なくとも１つを受信するステップをさらに備えたことを特徴とする請求項１に記載の方法。
【請求項５】
前記カレントビデオブロックについての前記垂直勾配、前記水平勾配、および前記２つの対角勾配の和を決定するステップをさらに備え、前記カレントビデオブロックは、前記垂直勾配、前記水平勾配、および前記２つの対角勾配の前記和に基づいて分類される、ことを特徴とする請求項１に記載の方法。
【請求項６】
コーディング方式内でカレントフレームの時間レイヤレベルを決定するステップであって、前記カレントフレームは、前記カレントビデオブロックを含む、ステップと、
前記カレントフレームの前記時間レイヤレベルに基づいて、前記カレントビデオブロックを分類するためのピクセルの前記サブセットを選択すべきかどうかを決定するステップであって、前記時間レイヤレベルが前記コーディング方式内で最も高いという条件で、ピクセルの前記サブセットが選択されるべきであると決定される、ステップと、
をさらに備えたことを特徴とする請求項１に記載の方法。
【請求項７】
前記プロセッサは、前記垂直勾配、前記水平勾配、および前記２つの対角勾配を取得するために前記ピクセルのサブセットが選択されることになるという第１のインジケーション、または前記ピクセルのサブセットがどのように選択されることになるかという第２のインジケーションのうちの少なくとも１つを受信するようにさらに構成されている、ことを特徴とする請求項２に記載のビデオ処理デバイス。
【請求項８】
前記プロセッサは、前記カレントビデオブロックについての前記垂直勾配、前記水平勾配、および前記２つの対角勾配の和を決定するようにさらに構成され、前記カレントビデオブロックは、前記垂直勾配、前記水平勾配、および前記２つの対角勾配の前記和に基づいて分類される、ことを特徴とする請求項２に記載のビデオ処理デバイス。
【請求項９】
前記プロセッサは、
コーディング方式内でカレントフレームの時間レイヤレベルを決定し、前記カレントフレームは、前記カレントビデオブロックを含み、
前記カレントフレームの前記時間レイヤレベルに基づいて、前記カレントビデオブロックを分類するためのピクセルの前記サブセットを選択すべきかどうかを決定し、前記時間レイヤレベルが前記コーディング方式内で最も高いという条件で、ピクセルの前記サブセットが選択されるべきであると決定される、
ようにさらに構成されている、ことを特徴とする請求項２に記載のビデオ処理デバイス。
【請求項１０】
ピクセルの前記サブセットは、前記カレントビデオブロック内の前記複数のピクセルにおいて垂直方向に少なくとも１つのピクセルをスキップし、水平方向に少なくとも１つのピクセルをスキップすることによって、前記カレントビデオブロック内の前記複数のピクセルから選択される、ことを特徴とする請求項２に記載のビデオ処理デバイス。
【請求項１１】
前記ビデオ処理デバイスは、エンコーダである、ことを特徴とする請求項２に記載のビデオ処理デバイス。
【請求項１２】
前記ビデオ処理デバイスは、デコーダである、ことを特徴とする請求項２に記載のビデオ処理デバイス。
【請求項１３】
前記プロセッサに動作可能に結合されたメモリ、ディスプレイ、またはアンテナのうちの少なくとも１つをさらに備えた、ことを特徴とする請求項２に記載のビデオ処理デバイス。
【請求項１４】
前記方法は、エンコーダまたはデコーダによって実行される、ことを特徴とする請求項１に記載の方法。
【請求項１５】
命令を含むコンピュータ可読記憶媒体であって、前記命令は、１つまたは複数のプロセッサに、
複数のピクセルを含むカレントビデオブロックから、前記カレントビデオブロックを分類するためのピクセルのサブセットを選択させ、前記ピクセルのサブセットは、対角方向に前記カレントビデオブロック内のピクセルを１行おきにスキップすることによって選択され、
前記対角方向に前記カレントビデオブロック内のピクセルを１行おきにスキップすることによって選択された前記ピクセルのサブセットを使用して、前記カレントビデオブロックについての垂直勾配、水平勾配、および２つの対角勾配を取得させ、
前記垂直勾配、前記水平勾配、および前記２つの対角勾配に基づいて、適応ループフィルタ処理（ＡＬＦ）のための前記カレントビデオブロックを分類させ、
前記カレントビデオブロックの前記分類に基づいて前記カレントビデオブロックに対してＡＬＦを実行させる、
ことを特徴とするコンピュータ可読記憶媒体。
【手続補正書】
【提出日】令和3年7月9日(2021.7.9)
【手続補正１】
【補正対象書類名】特許請求の範囲
【補正対象項目名】全文
【補正方法】変更
【補正の内容】
【特許請求の範囲】
【請求項１】
実空間のエリア内における被写体による在庫商品を置くこと及び取ることを追跡する方法であって、
各カメラの視野が少なくとも１つの他のカメラの視野と重なり合う、在庫陳列構造の上方に設置された複数のカメラを使用して、前記実空間内の対応する視野内の在庫陳列構造のそれぞれの画像シーケンスを生成すること、
被写体のジェスチャ、及び、前記画像シーケンス内の前景データを処理して前記ジェスチャに関連付けられた在庫商品を識別することによって、在庫商品を置くこと及び取ることを検出すること、を備えることを特徴とする方法。
【請求項２】
前記画像シーケンス内の背景データを処理して、在庫陳列構造上の在庫商品における意味的に重要な変化を識別することによって在庫商品を置くこと及び取ることを検出することを含む請求項１に記載の方法。
【請求項３】
被写体画像認識エンジンを含む、第１画像プロセッサを使用して、画像を処理して、対応する画像シーケンス内の前記画像に表される被写体を識別することを含み、
前記在庫商品における意味的に重要な変化を識別することによって在庫商品を置くこと及び取ることを検出することが、背景画像認識エンジンを含み、前記画像シーケンス内の画像の識別された被写体をマスクし、マスクされた画像を生成し、前記マスクされた画像を処理して、前記対応する画像シーケンス内の前記画像に表される背景変化を識別し分類する第２画像プロセッサを使用することを含み、
前記被写体のジェスチャ及び前記ジェスチャに関連付けられた在庫商品を識別することによって在庫商品を置くこと及び取ることを検出することが、前景画像認識エンジンを含み、前記複数のカメラから対応する画像シーケンスを受信し、画像を処理して、前記対応する画像シーケンス内の前記画像に表される前景変化を識別且つ分類する第３の画像プロセッサを使用することを含む請求項２に記載の方法。
【請求項４】
前記背景画像認識エンジン及び前記背景画像認識エンジンが、畳み込みニューラル・ネットワークを含む請求項３に記載の方法。
【請求項５】
識別された背景変化と識別された前景変化を識別された被写体に関連付けることを含む請求項３に記載の方法。
【請求項６】
前記第２画像プロセッサを使用することが、
対応する画像シーケンスの背景画像を格納すること、
前記画像シーケンス内の画像を処理し、前記マスクされた画像を提供するために、前記識別された被写体を表す前景画像データを、前記対応する画像シーケンスの前記背景画像からの背景画像データで置き換える請求項３に記載の方法。
【請求項７】
前記画像シーケンス内の画像を処理することが、前記画像シーケンス内のＮ個のマスクされた画像のセットを組み合わせて、各カメラのファクタ化画像のシーケンスを生成することを含み、
前記第２の画像プロセッサが、前記ファクタ化画像のシーケンスを処理することによって、背景変化を識別し、分類する請求項３〜６のいずれか１項に記載の方法。
【請求項８】
前記第２画像プロセッサを使用することが、
前記対応する画像シーケンスのための変化データ構造を生成することと、
重なり合う視野を有するカメラのセットからの変化データ構造を処理して、実空間内での前記識別された背景変化の位置を見つけることと、を含み、
前記変化データ構造が、識別された背景変化の前記マスクされた画像内の座標、前記識別された背景変化の在庫商品被写体の識別子、及び、前記識別された背景変化の分類を含む請求項３〜７のいずれか１項に記載の方法。
【請求項９】
前記変化データ構造における識別された背景変化の前記分類が、前記識別された在庫商品が前記背景画像に対して追加されたか除去されたかを示す請求項８に記載の方法。
【請求項１０】
前記変化データ構造における識別された背景変化の前記分類が、前記識別された在庫商品が前記背景画像に対して追加されたか除去されたかを示し、
背景変化を識別された被写体に関連付け、前記識別された被写体による在庫商品を取ること、及び前記識別された被写体による在庫商品を棚に置くことの検出を行うことを含む請求項８に記載の方法。
【請求項１１】
前記第１の画像プロセッサを使用することが、識別された被写体の手の位置を識別することを含み、
前記変化の前記位置を前記識別された被写体の手の位置と比較して背景変化を識別された被写体と関連付け、前記識別された被写体による在庫商品を取ること、及び前記識別された被写体による在庫商品を在庫陳列構造上に置くことの検出を行うことを含む請求項３〜１０のいずれか１項に記載の方法。
【請求項１２】
背景変化を識別された被写体と関連付け、前記識別された被写体による在庫商品を取ることと、前記識別された被写体による在庫商品を在庫陳列構造上に置くことの第１の検出セットを作成すること、
前景変化を識別された被写体と関連付け、前記識別された被写体による在庫商品を取ることと、前記識別された被写体による在庫商品を在庫陳列構造上に置くことの第２の検出セットを作成すること、及び、
前記第１及び第２の検出セットを処理し、識別された被写体に関する在庫商品のリストを含むログ・データ構造を生成することを含む請求項３〜１１のいずれか１項に記載の方法。
【請求項１３】
前記複数のカメラにおいて、カメラからの前記画像シーケンスを同期させることを含む請求項１〜１２のいずれか１項に記載の方法。
【請求項１４】
メモリに接続された１以上のプロセッサを含むシステムであって、
前記メモリに、請求項１〜１３のいずれか１項に係る実空間のエリア内における被写体による在庫商品を置くこと及び取ることを追跡する方法のためのコンピュータ命令がロードされていることを特徴とするシステム。
【請求項１５】
非一時的なコンピュータ可読記憶媒体であって、
請求項１〜１３のいずれか１項に係る実空間のエリア内における被写体による在庫商品を置くこと及び取ることを追跡する方法のためのコンピュータ命令が格納されていることを特徴とする非一時的なコンピュータ可読記憶媒体。
【手続補正２】
【補正対象書類名】明細書
【補正対象項目名】０２２４
【補正方法】変更
【補正の内容】
【０２２４】
被写体識別サブシステム２６０２（第１の画像プロセッサとも呼ばれる）は、複数のカメラ１１４から対応する画像シーケンスを受信する被写体画像認識エンジンを含む。被写体画像認識エンジンは、画像を処理して、対応する画像シーケンス内の画像に表される被写体を識別する。一実施形態では、被写体画像認識エンジンが関節ＣＮＮ１１２ａ〜１１２ｎと呼ばれる畳み込みニューラル・ネットワーク（ＣＮＮ）として実装される。重なり合う視野を有するカメラに対応する関節ＣＮＮ１１２ａ〜１１２ｎの出力は、各カメラの２Ｄ画像座標から実空間の３Ｄ座標に関節の位置をマッピングするために組み合わされる。ｊが１〜ｘに等しい被写体（ｊ）毎の関節データ構造８００は、各画像について実空間及び２Ｄ空間における被写体（ｊ）の関節の位置を識別する。被写体データ構造８００の幾つかの詳細を図８に示す。
【手続補正書】
【提出日】令和3年11月12日(2021.11.12)
【手続補正１】
【補正対象書類名】特許請求の範囲
【補正対象項目名】全文
【補正方法】変更
【補正の内容】
【特許請求の範囲】
【請求項１】
対象における神経損傷または脳損傷を示す、タンパク質バイオマーカー、またはこれに由来するペプチドバイオマーカーを検出する方法であって、前記方法が、１つ以上のタンパク質バイオマーカー、またはこれに由来するペプチドバイオマーカーが、前記対象から採取した生体サンプル中に存在するか否かタンパク質検出測定法を用いることにより検出することを含み、前記１つ以上のタンパク質バイオマーカーが表１のタンパク質番号１〜８１から選択される前記方法。
【手続補正書】
【提出日】令和3年10月28日(2021.10.28)
【手続補正１】
【補正対象書類名】特許請求の範囲
【補正対象項目名】全文
【補正方法】変更
【補正の内容】
【特許請求の範囲】
【請求項１】
検体を検出する方法であって、
試料及び生体適合性溶液を含有する試験溶液のアッセイを実施するステップを有し、
前記アッセイが、前記試料中の検体の存在及び／または濃度を検出することを含み、
前記生体適合性溶液が、安定化溶媒及び水を含有し、
前記試料が、毛細管マイクロサンプリング（ＣＭＳ）法を用いて対象から採取されることを特徴とする方法。
【請求項２】
請求項１に記載の方法であって、
前記対象から採取される前記試料の量が、１〜５０μＬであることを特徴とする方法。
【請求項３】
請求項１または２に記載の方法であって、
前記アッセイのエラー率が、２０％未満であることを特徴とする方法。
【請求項４】
請求項１〜３のいずれかに記載の方法であって、
前記アッセイが、前記対象の前記検体を連続的にモニタリングすることを含み、
毛細管マイクロサンプリング（ＣＭＳ）法を用いて前記対象から、２以上の前記試料が、指定された時間間隔で採取されることを特徴とする方法。
【請求項５】
請求項１〜４のいずれかに記載の方法であって、
前記試料が、新生児血液であることを特徴とする方法。
【請求項６】
請求項１〜５のいずれかに記載の方法であって、
前記検体が、薬物、栄養素、または代謝物であることを特徴とする方法。
【請求項７】
請求項１〜６のいずれかに記載の方法であって、
前記安定化溶媒が、メタノール、エタノール、イソプロパノール、またはそれらの任意の組み合わせを含むことを特徴とする方法。
【請求項８】
請求項１〜７のいずれかに記載の方法であって、
前記安定化溶媒が、イソプロパノールを含むことを特徴とする方法。
【請求項９】
請求項１〜８のいずれかに記載の方法であって、
前記生体適合性溶液が、前記安定化溶媒を１０〜７５ｖ／ｖ％の割合で含有することを特徴とする方法。
【請求項１０】
請求項１〜９のいずれかに記載の方法であって、
前記生体適合性溶液が、アセトニトリルを実質的に含有しないことを特徴とする方法。
【請求項１１】
請求項１〜１０のいずれかに記載の方法であって、
前記アッセイが、質量分析法、クロマトグラフィ法、電気泳動法、または酵素結合免疫吸着検定法（ＥＬＩＳＡ）を含むことを特徴とする方法。
【請求項１２】
請求項１〜１１のいずれかに記載の方法であって、
前記対象から採取される前記試料の量が、２〜５０μＬであることを特徴とする方法。
【請求項１３】
請求項１〜１２のいずれかに記載の方法であって、
前記試料が、前記生体適合性溶液によって３〜２０倍に希釈されることを特徴とする方法。
【請求項１４】
請求項１〜１３のいずれかに記載の方法であって、
前記試料が、前記生体適合性溶液によって５〜１５倍に希釈されることを特徴とする方法。
【請求項１５】
キットであって、
毛細管作用によって対象から試料を採取するように構成された容器と、
生体適合性溶液と、
前記試料及び前記生体適合性溶液を含有する試験溶液のアッセイを実施するための使用説明書と、を備えることを特徴とするキット。
【請求項１６】
請求項１５に記載のキットであって、
前記生体適合性溶液が、水及び安定化溶媒を含有することを特徴とするキット。
【請求項１７】
請求項１６に記載のキットであって、
前記安定化溶媒が、メタノール、エタノール、イソプロパノール、またはそれらの任意の組み合わせを含むことを特徴とするキット。
【請求項１８】
請求項１７に記載のキットであって、
前記生体適合性溶液が、イソプロパノール及び水を含有することを特徴とするキット。
【請求項１９】
請求項１５〜１８のいずれかに記載のキットであって、
対象の皮膚を穿刺するように構成された器具をさらに備えることを特徴とするキット。
【手続補正書】
【提出日】令和3年11月10日(2021.11.10)
【手続補正１】
【補正対象書類名】特許請求の範囲
【補正対象項目名】全文
【補正方法】変更
【補正の内容】
【特許請求の範囲】
【請求項１】
第１のニューラルネットワークモデルと第２のニューラルネットワークモデルとを訓練するためのシステムであって、命令セットを表す命令データを含むメモリ、及び前記メモリと通信し、前記命令セットを実行するためのプロセッサを備え、前記命令セットは、前記プロセッサにより実行されると、
第１のモデルにおける対応する重みに基づいて第２のモデルにおける重みを設定することと、
第１のデータ集合において前記第２のモデルを訓練することであって、前記訓練することが、前記第２のモデルにおける重みを更新することを有する、訓練することと、
前記第２のモデルにおける更新された重みに基づいて前記第１のモデルにおける対応する重みを調節することとを前記プロセッサに行わせる、
システム。
【請求項２】
前記重みは、前記第２のモデルの入力層と前記第２のモデルの隠れ層とのうちの１つにおける重みを含む、請求項１に記載のシステム。
【請求項３】
前記第１のモデルにおける対応する重みを調節することを前記プロセッサに行わせることは、前記第２のモデルからの重みの値を前記第１のモデルにおける対応する重みにコピーすることを前記プロセッサに行わせる、請求項１又は２に記載のシステム。
【請求項４】
前記第１のモデルにおける対応する重みを調節することを前記プロセッサに行わせることは、前記第１のモデルにおける対応する重みと前記第２のモデルにおける重みとの間の差に基づいて、前記第１のモデルにおける対応する重みの値にインクリメントを適用することをプロセッサに行わせる、請求項１又は２に記載のシステム。
【請求項５】
前記第１のモデルにおける対応する重みを調節することを前記プロセッサに行わせることは、前記第１のモデルの出力層における重みを任意値に設定することをプロセッサに行わせる、請求項１から４の何れか一項に記載のシステム。
【請求項６】
前記第１のモデルにおける対応する重みを調節することを前記プロセッサに行わせることは、前記第１のモデルの出力層における少なくとも１つの重みの値を同じ値に維持することを前記プロセッサに行わせる、請求項１から５の何れか一項に記載のシステム。
【請求項７】
前記第２のモデルにおける重みを設定することを前記プロセッサに行わせることは、前記第１のモデルの入力層と前記第１のモデルの隠れ層とのうちの１つからの重みの値を前記第２のモデルにおける対応する重みにコピーすることを前記プロセッサに行わせることを含む、請求項１から６の何れか一項に記載のシステム。
【請求項８】
前記第２のモデルにおける重みを設定することを前記プロセッサに行わせることは、前記第２のモデルの出力層における少なくとも１つの重みを任意値に設定することを前記プロセッサに行わせる、請求項１から７の何れか一項に記載のシステム。
【請求項９】
前記第１のモデルは、物体検出モデルと物体位置特定モデルとのうちの１つを含み、前記第２のモデルは、物体検出モデルと物体位置特定モデルとのうちの他方の１つを含む、請求項１から８の何れか一項に記載のシステム。
【請求項１０】
前記第１のモデルは、１つの出力を生成するためのモデルと複数の出力を生成するためのモデルとのうちの１つを含み、前記第２のモデルは、１つの出力を生成するためのモデルと複数の出力を生成するためのモデルとのうちの他方の１つを含む、請求項１から９の何れか一項に記載のシステム。
【請求項１１】
前記命令セットは、前記プロセッサにより実行されると、前記第１のモデルと前記第２のモデルとのうちの他方の１つのさらなる訓練に応答して、前記第１のモデルと前記第２のモデルとのうちの１つにおける重みを調節することを前記プロセッサにさらに行わせる、請求項１から１０の何れか一項に記載のシステム。
【請求項１２】
前記命令セットは、前記プロセッサにより実行されると、以下の基準、すなわち、
前記第１のモデル及び／又は前記第２のモデルが閾値精度レベルに達すること、
前記調節の大きさが閾値の大きさ未満に低下すること、
前記第１のモデルにおける重みと、前記第１のモデルにおける重みに対応した前記第２のモデルにおける重みとが既定の閾値内において互いに向けて収束すること、及び、
前記第１のモデルに関連した損失及び／又は前記第２のモデルに関連した損失が後続の調節間に閾値量未満分変化すること
のうちの１つ又は複数が満たされるまで、重みを調節するステップを反復することをプロセッサに行わせる、請求項１１に記載のシステム。
【請求項１３】
前記第１のモデルは、第２のデータ集合において訓練され、第１のデータ集合は、前記第２のデータ集合より少ないデータを含み、前記第２のデータ集合単独のサイズが、任意に始められた重みを使用して既定の精度まで前記第２のモデルを訓練するには不十分である、請求項１から１２の何れか一項に記載のシステム。
【請求項１４】
第１のニューラルネットワークモデルと第２のニューラルネットワークモデルとを訓練するコンピュータ実施の方法であって、前記方法が、
第１のモデルにおける対応する重みに基づいて第２のモデルにおける重みを設定するステップと、
データ集合において前記第２のモデルを訓練するステップであって、前記第２のモデルにおける重みを更新することを有する、訓練するステップと、
前記第２のモデルにおける更新された重みに基づいて前記第１のモデルにおける対応する重みを調節するステップとを有する、
方法。
【請求項１５】
コンピュータ可読媒体内において具現化されたコンピュータ可読コードを含み、前記コンピュータ可読コードが、適切なコンピュータ又はプロセッサによる実行時に、前記コンピュータ又は前記プロセッサに請求項１４に記載の方法を実施させる、コンピュータ可読媒体。
【手続補正書】
【提出日】令和3年8月20日(2021.8.20)
【手続補正１】
【補正対象書類名】特許請求の範囲
【補正対象項目名】全文
【補正方法】変更
【補正の内容】
【特許請求の範囲】
【請求項１】
共通ソース線と共通ビット線を共有し、かつ、薄膜ストレージトランジスタのゲート電極として機能する導体であるワード線に関連付けられた前記薄膜ストレージトランジスタのメモリストリングにおいて、予め第１の電圧範囲または第２の電圧範囲のいずれかの範囲内のしきい値電圧を有するよう構成された選択された前記薄膜ストレージトランジスタの１つを読み出す方法であって、
容量結合技術を用いて前記共通ソース線と前記共通ビット線との間に電圧差を生じさせるステップと、
選択された前記薄膜ストレージトランジスタを導電状態または非導電状態にするように選択される読み出し電圧を、前記しきい値電圧が前記第１の電圧範囲または前記第２の電圧範囲であるかどうかに応じて、選択された前記薄膜ストレージトランジスタの前記ゲート電極に印加するステップと、
選択された前記薄膜ストレージトランジスタの電流を検出することにより、選択された前記薄膜ストレージトランジスタが導電状態であるか非導電状態であるかを決定するステップとを含む方法。
【請求項２】
前記容量結合技術が、前記共通ビット線および前記共通ソース線を所定の電圧に初期化するステップと、
前記共通ソース線と前記共通ソース線の周辺にある前記導体との間の電位を変化させることにより、前記電圧差を生じさせるステップとを含む、請求項１に記載の方法。
【請求項３】
前記共通ソース線の周辺の前記導体は、前記メモリストリング内の、選択された前記薄膜ストレージトランジスタ以外の薄膜ストレージトランジスタに関連付けられたワード線を構成する、請求項２に記載の方法。
【請求項４】
前記所定の電圧が、電源電圧と他の基準電圧との範囲内にある、請求項２に記載の方法。
【請求項５】
前記共通ソース線は、前記共通ビット線および前記共通ソース線を前記所定の電圧に初期化するための電流経路が有効である場合を除き、前記電源電圧または前記基準電圧のソースから電気的に絶縁されている、請求項４に記載の方法。
【請求項６】
前記読み出し電圧を印加する前に、前記電流経路を無効にするステップを含む、請求項５に記載の方法。
【請求項７】
前記共通ソース線は、前記共通ビット線を前記共通ソース線に電気的に接続する選択装置または回路によって、前記所定の電圧に初期化されるステップを含む、請求項３に記載の方法。
【請求項８】
前記所定の電圧は、実質的に電源電圧または他の基準電圧である、請求項２に記載の方法。
【請求項９】
選択された前記薄膜ストレージトランジスタの前記電流を検出した後、前記しきい値電圧が前記第１の電圧範囲にあるか前記第２の電圧範囲にあるかを決定するステップをさらに含む、請求項１に記載の方法。
【請求項１０】
前記共通ビット線上の前記電圧が判別レベルを超えるか否かを決定するステップをさらに含む、請求項８に記載の方法。
【請求項１１】
前記判別レベルが、前記電源電圧以下のＰＭＯＳしきい値電圧である、請求項１０に記載の方法。
【請求項１２】
前記読み出し電圧が前記ワード線に印加された後の所定時間内に、前記共通ビット線上の電圧が判別レベルを超えるか否かを決定するステップをさらに含む、請求項８に記載の方法。
【請求項１３】
検出された前記電流は、前記共通ソース線に流入または流出する電流を検出することにより推測されるステップを含む、請求項１に記載の方法。
【請求項１４】
（ｉ）前記メモリストリングである第１のメモリストリングが前記第１のメモリストリングと実質的に同じように構成された薄膜ストレージトランジスタの第２のメモリストリングと関連付けられるステップと、
（ｉｉ）前記第２のメモリストリングの前記共通ソース線が、前記第１のメモリストリングの前記共通ソース線と電気的に結合されるステップと、
（ｉｉｉ）前記第１のメモリストリングの前記共通ビット線が、前記第２のメモリストリングの前記共通ビット線から電気的に絶縁されるステップとを含む、請求項１に記載の方法。
【請求項１５】
前記電圧差は、少なくとも部分的には、前記第２のメモリストリング内の前記薄膜ストレージトランジスタに関連付けられた前記ワード線上の電位を変化させることによって生じる、請求項１４に記載の方法。
【請求項１６】
前記電流がオペアンプで検出されるステップを含む、請求項１に記載の方法。
【請求項１７】
前記電流が差動アンプで検出されるステップを含む、請求項１に記載の方法。
【請求項１８】
前記電流が所定のレベルに達する前、かつ、前記共通ビット線上の電圧が判別点を超えたことを検出した後に、前記電流を検出するステップを含む、請求項１に記載の方法。
【請求項１９】
所定の電圧が実質的に電源電圧からＮＭＯＳトランジスタしきい値電圧を差し引いた電圧である、請求項１に記載の方法。
【請求項２０】
選択装置が、前記電流を検出する前に、検出回路の入力端子を一方向導通モードの前記共通ビット線に接続するステップを含む、請求項１９に記載の方法。